(57)【要約】【課題】ボリュームを下げ過ぎることなく発熱による装置の破壊を防ぐことができるマルチチャンネルパワーアンプ及びマルチチャンネルオーディオ装置を提供する。【解決手段】増幅部３ａ〜３ｆは複数のチャンネルの音声信号をそれぞれ増幅する。整流部４ａ〜４ｆは前記増幅部３ａ〜３ｆにより増幅された前記複数のチャンネルの音声信号の交流電圧をそれぞれ直流電圧に変換する。制御部７は前記整流部４ａ〜４ｆにより得た前記複数のチャンネルの直流電圧から前記増幅部３ａ〜３ｆが出力する電力の総和を計算し、その電力の総和が閾値を超えている場合に前記増幅部３ａ〜３ｆに供給する各チャンネルの音声信号のレベルを減衰させるための制御信号を出力する。信号レベル減衰部２ａ〜２ｆは前記制御信号に基づいて、前記増幅部３ａ〜３ｆに供給する各チャンネルの音声信号のレベルを減衰させる。【選択図】図１
2010045481.tif 000002
【特許請求の範囲】
【請求項１】
複数のチャンネルの音声信号をそれぞれ増幅する増幅部と、
前記増幅部により増幅された前記複数のチャンネルの音声信号を複数のスピーカに出力するスピーカターミナル部と、
前記増幅部により増幅された前記複数のチャンネルの音声信号の交流電圧をそれぞれ直流電圧に変換する整流部と、
前記整流部により得た前記複数のチャンネルの直流電圧から前記増幅部が前記スピーカターミナル部を経由してスピーカへ供給する電力の総和を計算し、その電力の総和があらかじめ定められた閾値を超えている場合に前記増幅部に供給する各チャンネルの音声信号のレベルを減衰させるための制御信号を出力する制御部と、
前記制御部から入力された制御信号に基づいて、前記増幅部に供給する各チャンネルの音声信号のレベルを減衰させる信号レベル減衰部と
を備えることを特徴とするマルチチャンネルパワーアンプ。
【請求項２】
前記制御部は、一定時間ごとに前記電力の総和が前記閾値として第１の閾値を超えているか否かを判断し、前記第１の閾値を第１の回数連続で超えた場合に、前記制御信号を前記信号レベル減衰部に供給することを特徴とする請求項１記載のマルチチャンネルパワーアンプ。
【請求項３】
前記制御部は、一定時間ごとに前記電力の総和が前記閾値として前記第１の閾値より大きい第２の閾値を超えているか否かを判断し、前記第２の閾値を前記第１の回数よりも少ない第２の回数連続で超えた場合に、前記制御信号を前記信号レベル減衰部に供給することを特徴とする請求項２記載のマルチチャンネルパワーアンプ。
【請求項４】
複数のチャンネルの音声信号を増幅する前記マルチチャンネルパワーアンプと、
前記マルチチャンネルパワーアンプから供給される音声信号を再生する複数のスピーカとを備え、
前記マルチチャンネルパワーアンプは、
前記複数のチャンネルの音声信号をそれぞれ増幅する前記増幅部と、
前記増幅部により増幅された前記複数のチャンネルの音声信号をスピーカに出力するスピーカターミナル部と、
前記増幅部により増幅された前記複数のチャンネルの音声信号の交流電圧をそれぞれ直流電圧に変換する整流部と、
前記整流部により得た前記複数のチャンネルの直流電圧と前記複数のスピーカのインピーダンスを用いて前記複数の増幅部が前記スピーカへ供給する電力の総和を計算し、その電力の総和があらかじめ定められた閾値を超えている場合に前記増幅部に供給する各チャンネルの音声信号のレベルを減衰させるための制御信号を出力する制御部と、
前記制御部から入力された制御信号に基づいて、前記増幅部に供給する各チャンネルの音声信号のレベルを減衰させる信号レベル減衰部と
を備えることを特徴とするマルチチャンネルオーディオ装置。
【請求項５】
前記制御部は、一定時間ごとに前記電力の総和が前記閾値として第１の閾値を超えているか否かを判断し、前記第１の閾値を第１の回数連続で超えた場合に、前記制御信号を前記信号レベル減衰部に供給することを特徴とする請求項１記載のマルチチャンネルオーディオ装置。
【請求項６】
前記制御部は、一定時間ごとに前記電力の総和が前記閾値として前記第１の閾値より大きい第２の閾値を超えているか否かを判断し、前記第２の閾値を前記第１の回数よりも少ない第２の回数連続で超えた場合に、前記制御信号を前記信号レベル減衰部に供給することを特徴とする請求項２記載のマルチチャンネルオーディオ装置。
【発明の詳細な説明】
【技術分野】
【０００１】
本発明は、マルチチャンネルのオーディオ信号を増幅するマルチチャンネルパワーアンプ、マルチチャンネルパワーアンプと複数のスピーカとを組み合わせたマルチチャンネルオーディオ装置に関する。
【背景技術】
【０００２】
スピーカを駆動するパワーアンプにおいてはパワーアンプの出力電力が増大すると発熱により装置が破壊したり、スイッチング電源の出力容量がオーバーして、電源の保護回路により電源出力が切断され、それにより音声が途切れたりする。そこで、パワーアンプの出力電力を制限することが一般的である。
特開２００７−３００４５７号公報（特許文献１）には、増幅部の温度を検出し、過度な発熱があった場合には強制的にボリュームを下げることが記載されている。
【０００３】
また、特開２００５−６５１４１号公報（特許文献２）にはマルチチャンネルパワーアンプにおいて、低音域出力用のサブウーファの増幅部のみ温度検出し、過度な発熱があった場合には強制的にボリュームを下げることが記載されている。
【０００４】
さらに、特開平７−２２６６３３号公報（特許文献３）には増幅部の出力電圧と空冷用ファンのモータ電圧を検出し、増幅部の出力電圧が大きいにもかかわらず、空冷用ファンが動作をしていない時に強制的にボリュームを下げることが記載されている。
【特許文献１】特開２００７−３００４５７号公報
【特許文献２】特開２００５−６５１４１号公報
【特許文献２】特開平７−２２６６３３号公報
【発明の開示】
【発明が解決しようとする課題】
【０００５】
しかしながら、温度を検出してからボリュームを下げる方法では温度が上がってから出力電力を下げるので、ボリュームを下げてから実際に温度が下がるまでに時間がかかってしまう。そのため、この方法ではボリュームを下げ過ぎてしまうことにより、音量感を損なってしまうという問題があった。また、上述した特許文献１〜３のいずれの方法も、マルチチャンネルパワーアンプ及びマルチチャンネルオーディオ装置に対して好適な出力制限の方法ではなく、マルチチャンネルパワーアンプ及びマルチチャンネルオーディオ装置において装置の破壊や電源の容量オーバーを的確に防ぐことができる出力制限方法が必要とされた。
【０００６】
本発明はこのような問題点に鑑みなされたものであり、ボリュームを下げ過ぎることなく発熱による装置の破壊を防ぐことができるマルチチャンネルパワーアンプ及びマルチチャンネルオーディオ装置を提供することを目的とする。
【課題を解決するための手段】
【０００７】
本発明は上述した従来の技術の課題を解決するため、複数のチャンネルの音声信号をそれぞれ増幅する増幅部（３ａ〜３ｆ）と、前記増幅部（３ａ〜３ｆ）により増幅された前記複数のチャンネルの音声信号を複数のスピーカに出力するスピーカターミナル部（５）と、前記増幅部（３ａ〜３ｆ）により増幅された前記複数のチャンネルの音声信号の交流電圧をそれぞれ直流電圧に変換する整流部（４ａ〜４ｆ）と、前記整流部（４ａ〜４ｆ）により得た前記複数のチャンネルの直流電圧から前記増幅部（３ａ〜３ｆ）が前記スピーカターミナル部（５）を経由してスピーカへ供給する電力の総和を計算し、その電力の総和があらかじめ定められた閾値を超えている場合に前記増幅部（３ａ〜３ｆ）に供給する各チャンネルの音声信号のレベルを減衰させるための制御信号を出力する制御部（７）と、前記制御部（７）から入力された制御信号に基づいて、前記増幅部（３ａ〜３ｆ）に供給する各チャンネルの音声信号のレベルを減衰させる信号レベル減衰部（２ａ〜２ｆ）とを備えることを特徴とするマルチチャンネルパワーアンプを提供する。
また、前記制御部（７）は、一定時間ごとに前記電力の総和が前記閾値として第１の閾値を超えているか否かを判断し、前記第１の閾値を第１の回数連続で超えた場合に、前記制御信号を前記信号レベル減衰部（２ａ〜２ｆ）に供給することが好ましい。
さらに、前記制御部（７）は、一定時間ごとに前記電力の総和が前記閾値として前記第１の閾値より大きい第２の閾値を超えているか否かを判断し、前記第２の閾値を前記第１の回数よりも少ない第２の回数連続で超えた場合に、前記制御信号を前記信号レベル減衰部（２ａ〜２ｆ）に供給することが好ましい。
【発明の効果】
【０００８】
本発明のマルチチャンネルパワーアンプ及びマルチチャンネルオーディオ装置によれば、ボリュームを下げ過ぎることなく発熱による装置の破壊を防ぐことができる。
【発明を実施するための最良の形態】
【０００９】
以下、本発明のマルチチャンネルパワーアンプ、及び、マルチチャンネルオーディオ装置について、添付図面を参照して説明する。図１は、本発明のマルチチャンネルパワーアンプの一実施形態を示すブロック図である。また、図２は本発明のマルチチャンネルオーディオ装置で用いるスピーカシステムの一例を示すブロック図である。図３は一実施形態のマルチチャンネルパワーアンプ１０内の整流部４ａ〜４ｆの回路構成を示す図である。図４は一実施形態の動作を示すフローチャートである。なお、本発明のマルチチャンネルオーディオ装置の一実施形態はマルチチャンネルパワーアンプ１０とスピーカシステム２０を組み合わせたものである。
【００１０】
まず、図２を用いて本実施形態におけるスピーカシステム２０の構成を示す。本実施形態では、音声信号の聴取者９の前方左側に配置するスピーカ８ａ（以下ＦＬスピーカ８ａ）、前方右側に配置するスピーカ８ｂ（以下ＦＲスピーカ８ｂ）、前方中央に配置するスピーカ８ｃ（以下Ｃスピーカ８ｃ）、後方左側に配置するスピーカ８ｄ（以下ＳＬスピーカ８ｄ）、後方右側に配置するスピーカ８ｅ（以下ＳＲスピーカ８ｅ）、及び、主に低音域を再生するためのサブウーファ８ｆ（以下ＳＷ８ｆ）の６つのスピーカからなる５．１チャンネルサラウンドシステムを例とする。なお、低音域は指向性が小さいため、ＳＷ８ｆは基本的にどこに配置しても良い。また、本発明は上述した５．１チャンネルサラウンドシステムに限定されるものではなく、少なくとも２つのスピーカがあればよい。例えば、Ｃスピーカ８ｃを除いた構成でもよい。
【００１１】
また、図２において、ＦＬスピーカ８ａのプラス入力端子８ａＨ、ＦＲスピーカ８ｂのプラス入力端子８ｂＨ、Ｃスピーカ８ｃのプラス入力端子８ｃＨ、ＳＬスピーカ８ｄのプラス入力端子８ｄＨ、ＳＲスピーカ８ｅのプラス入力端子８ｅＨ、ＳＷ８ｆのプラス入力端子８ｆＨと後述するマルチチャンネルパワーアンプ１０のスピーカターミナル部５のプラス出力端子５ａ〜５ｆとがそれぞれケーブルによって接続されている。
さらに、図２におけるＦＬスピーカ８ａのマイナス入力端子８ａＣ、ＦＲスピーカ８ｂのマイナス入力端子８ｂＣ、Ｃスピーカ８ｃのマイナス入力端子８ｃＣ、ＳＬスピーカ８ｄのマイナス入力端子８ｄＣ、ＳＲスピーカ８ｅのマイナス入力端子８ｅＣ、ＳＷ８ｆのマイナス入力端子８ｆＣと、スピーカターミナル部５のマイナス出力端子５ａｇ〜５ｅｇ及び５ｆＢとがそれぞれケーブルによって接続されている。これによって、各スピーカ８ａ〜８ｆがスピーカターミナル部５から入力された各チャンネルの音声信号を発音することになる。
【００１２】
次に、図１を用いて、本実施形態のマルチチャンネルパワーアンプ１０の構成について説明する。図１において、入力端子１ａ〜１ｆはそれぞれ、ＦＬスピーカ８ａで再生するチャンネルの音声信号を入力するＦＬ入力端子、ＦＲスピーカ８ｂで再生するチャンネルの音声信号を入力するＦＲ入力端子、Ｃスピーカ８ｃで再生するチャンネルの音声信号を入力するＣ入力端子、ＳＬスピーカ８ｄで再生するチャンネルの音声信号を入力するＳＬ入力端子、ＳＲスピーカ８ｅで再生するチャンネルの音声信号を入力するＳＲ入力端子、ＳＷ８ｆで再生するチャンネルの音声信号を入力するＳＷ入力端子である。
【００１３】
各入力端子１ａ〜１ｆに入力された音声信号は、それぞれに対応するように設けられた信号レベル減衰部２ａ〜２ｆを経て、増幅部３ａ〜３ｆに入力される。また、本実施形態において、ＳＷ８ｆではＢＴＬ（Bridge Transless）接続を用いているため、ＳＷ８ｆに対応する信号レベル減衰部２ｆを経た音声信号は、位相反転部６にも入力される。位相反転部６は入力された音声信号の位相を反転させ、増幅部３ｆＢへ入力する。ＢＴＬ接続とはこのようにスピーカのマイナス端子へ元の音声信号と逆相の信号を入力し、プラス端子には元の音声信号を入力することで理論的に２倍の出力電圧を得られるようにしたものである。信号レベル減衰部２ａ〜２ｆの動作については後述する。
【００１４】
増幅部３ａ〜３ｆ及び３ｆＢは入力された音声信号を増幅し、スピーカターミナル部５のそれぞれ対応するスピーカのプラス出力端子５ａ〜５ｆ及びＳＷ８ｆのマイナス出力端子５ｆＢへ音声信号を入力する。なお、マイナス出力端子５ａｇ、５ｂｇ、５ｃｇ、５ｄｇ、５ｅｇは接地されている。
【００１５】
また、増幅部３ａ〜３ｆから出力された音声信号は、それぞれ整流部４ａ〜４ｆにも入力される。整流部４ａ〜４ｆには例えば一般的に知られている半波整流回路を用いる。本実施形態では整流部４ａ〜４ｅは同一の回路構成であり、整流部４ｆのみ回路構成を変えてある。整流部４ａ〜４ｆはそれぞれの音声信号を直流信号に変換し、例えばマイクロプロセッサからなる制御部７へ入力する。制御部７は入力された直流信号から直流に変換する前の音声信号の電圧値を計算し、その電圧値から各増幅部３ａ〜３ｆの電力値を計算する。さらに制御部７は計算により求めた電力値を全て合計する。そして、制御部７は各増幅部３ａ〜３ｆの出力電力の合計値を基に信号レベル減衰部２ａ〜２ｆに入力信号を減衰させる制御信号を供給するか否かを判断する。入力信号を減衰させる場合、制御部７は信号レベル減衰部２ａ〜２ｆへ入力信号を減衰させるための制御信号を入力する。信号レベル減衰部２ａ〜２ｆはその入力された制御信号に基づいて入力端子１ａ〜１ｆから入力された音声信号を減衰させる。また、スイッチング電源部１０は信号レベル減衰部２ａ〜２ｆ、増幅部３ａ〜３ｆ、増幅部３ｆＢ、制御部７それぞれに電力を供給する。
【００１６】
次に、各整流部４ａ〜４ｆの動作、及び、出力電力を求める方法について図３を用いて説明する。なお、ＦＬスピーカ８ａ、ＦＲスピーカ８ｂ、Ｃスピーカ８ｃ、ＳＬスピーカ８ｄ、ＳＲスピーカ８ｅのインピーダンスを３Ω、ＳＷ８ｆのインピーダンスを６Ωとする。また、各スピーカ８ａ〜８ｆに対応している整流部４ａ〜４ｆへ入力される音声信号をそれぞれＶｏａ〜Ｖｏｆ、整流部４ａ〜４ｆから出力され、制御部へ入力される直流信号をＶｉａ〜Ｖｉｆとする。なお、Ｖｏａ〜Ｖｏｆは正弦波であるとする。
【００１７】
図３（Ａ）は整流部４ａ〜４ｅの回路構成図である。整流部４ａ〜４ｅはそれぞれ、ダイオード４０２、抵抗４０３，４０５，４０６、コンデンサ４０４で構成されている。抵抗４０３，４０５，４０６の抵抗値は一例として、それぞれ、１ｋΩ、１００ｋΩ、２７ｋΩである。コンデンサ４０４の静電容量値は一例として、１０μＦである。整流部４ａ〜４ｅは共通の構成であるので整流部４ａについて説明する。図３（Ａ）において、増幅部３ａから出力された交流電圧Ｖｏａは整流部４ａの入力端子４０１に入力される。入力された交流電圧Ｖｏａはダイオード４０２によって半波整流され、半波整流された電圧はコンデンサ４０４によって平滑化される。平滑化された直流電圧Ｖｉａは整流部４ａの出力端子４０７から出力され制御部７に入力される。交流電圧Ｖｏａの実効値と直流電圧Ｖｉａの値は正の相関関係にあるため、Ｖｏａの値を変化させた時のＶｉａの値を複数回測定することでその関係が求まる。この関係は計算により求めることも可能であるが、本実施形態では実際に測定した値を元に得た関係式を採用する。実際に測定した結果、以下の（１）式のような関係を求めた。
Ｖｏａ＝３．６１９３Ｖｉａ＋０．４９４７  ……（１）
【００１８】
この関係式は整流部４ａ〜４ｅの回路定数、及び、スピーカインピーダンスによって変化する。整流部の回路定数はスピーカインピーダンスから決定される。制御部７は整流部４ａから入力された直流信号Ｖｉａのレベルを検出することで（１）式から増幅部３ａの出力電圧の実効値を計算する。また、ＳＷ８ｆ以外のスピーカインピーダンスは３Ωなので制御部７は以下の（２）式でＦＬスピーカ８ａに対応する増幅部３ａの出力電力Ｗｏａを求める。
Ｗｏａ＝（Ｖｏａ×Ｖｏａ）／３  ……（２）
ＳＷ８ｆ以外のインピーダンスは全て３Ωであることから、整流部４ａ〜４ｅは同様の構成となっている。そのため、制御部７はＦＲスピーカ８ｂ、Ｃスピーカ８ｃ、ＳＬスピーカ８ｄ、ＳＲスピーカ８ｅそれぞれに対応する増幅部３ｂ〜３ｅの出力電力であるＷｏｂ、Ｗｏｃ、Ｗｏｄ、Ｗｏｅについても同様にして計算する。
【００１９】
図３（Ｂ）は整流部４ｆの回路構成図である。整流部４ｆは、ダイオード４１２、抵抗４１３，４１５，４１６、コンデンサ４１４で構成されている。抵抗４０３，４０５，４０６の抵抗値は一例として、それぞれ、４．７ｋΩ、１００ｋΩ、１８ｋΩである。コンデンサ４０４の静電容量値は一例として、１０μＦである。図３（Ｂ）において、増幅部３ｆから出力された交流電圧Ｖｏｆは整流部４ｆの入力端子４１１に入力される。入力された交流電圧Ｖｏｆ、ダイオード４１２によって半波整流され、半波整流された電圧はコンデンサ４１４によって平滑化される。平滑化された直流電圧Ｖｉｆは整流部４ｆの出力端子４１７から出力され制御部７に入力される。交流電圧Ｖｏｆの実効値と直流電圧Ｖｉｆの値は正の相関関係にあるため、Ｖｏｆの値を変化させた時のＶｉｆの値を複数回測定することでその関係が求まる。この関係は計算により求めることも可能であるが、本実施形態では実際に測定した値を元に得た関係式を採用する。実際に測定した結果、以下の（３）式のような関係を求めた。
Ｖｏｆ＝（５．９３５４Ｖｉｆ＋０．５０１５）×２  ……（３）
【００２０】
ＳＷ８ｆは他のスピーカ８ａ〜８ｅと比べて出力が大きく、また、インピーダンスが６Ωであるため、ＳＷ８ｆに対応する整流部４ｆは他のスピーカ８ａ〜８ｅに対応する整流部４ａ〜４ｅと回路定数を変えてある。また、２倍しているのはＳＷ８ｆではＢＴＬ接続をしているためである。
制御部７は整流部４ｆから入力された直流信号Ｖｉｆのレベルを検出することで（３）式から増幅部３ｆの出力電圧を計算する。また、ＳＷ８ｆのインピーダンスは６Ωなので制御部７は以下の（４）式でＳＷ８ｆに対応した増幅部３ｆの出力電力Ｗｏｆを求める。
Ｗｏｆ＝（Ｖｏｆ×Ｖｏｆ）／６  ……（４）
【００２１】
制御部７は以上のようにして求めた増幅部３ａ〜３ｆから出力される電力Ｗｏａ〜Ｗｏｆの合計値Ｗsumを求める。Ｗsumの値によって、制御部７は信号レベル減衰部２ａ〜２ｆへ入力信号を減衰させるための制御信号を入力するか否かを判断する。
【００２２】
また、本実施形態ではＳＷ８ｆ以外のスピーカ８ａ〜８ｅのインピーダンスを３Ω、ＳＷ８ｆのインピーダンスを６Ωとしたが、あらかじめ指定した最低インピーダンス以上のインピーダンスのスピーカであれば、同様の計算方法、及び、同様のＷsum閾値でも、発熱による装置の破壊を防ぐことができる。ユーザは最低インピーダンス以上のインピーダンスの任意のスピーカと本実施形態のマルチチャンネルパワーアンプ１０を組み合わせて使用することができる。
【００２３】
図４のフローチャートを用いて、本実施形態の信号レベルの減衰を行う際の動作を説明する。なお、本実施形態ではＷsumの第１の閾値を２００Ｗ、第２の閾値を３５０Ｗとする。図４において、装置の電源がオンになったら、ステップＳ１にて制御部７は内部カウンタ値の自然数“ｎ”を０にリセットする。次にステップＳ２にて制御部７は整流部４ａ〜４ｆから入力された直流信号レベルを検出する。制御部７はステップＳ３にて、入力された直流信号レベルを基に増幅部３ａ〜３ｆの出力電力Ｗｏａ〜Ｗｏｆの合計値Ｗsumを計算する。制御部７は次のステップＳ４でＷsumが２００Ｗ未満、２００Ｗ以上３５０Ｗ未満、３５０Ｗ以上の内、どのレベルにあるか判断する。２００Ｗ未満であった場合（Ｗsum＜２００Ｗ）、制御部７は信号レベルを減衰させる必要はないと判断し、ステップＳ１に戻る。
【００２４】
ステップＳ４にて２００Ｗ以上３５０Ｗ未満であった場合（２００Ｗ≦Ｗsum＜３５０Ｗ）、ステップＳ５で制御部７は内部カウンタ値“ｎ”に１を加え、次のステップＳ６で、制御部７は２秒間待機する。制御部７はステップＳ７で内部カウンタ値“ｎ”が３０であるか判断し、３０でなかった場合（Ｎｏ）、ステップＳ２へ戻る。“ｎ”が３０であった場合（Ｙｅｓ）、ステップＳ８で、制御部７は信号レベル減衰部２ａ〜２ｆへ入力信号を減衰させるための制御信号を入力し、信号レベル減衰部２ａ〜２ｆはこの制御信号に基づいて、入力信号を１ｄＢ減衰させる。
【００２５】
一方、ステップＳ４においてＷsumが３５０Ｗ以上であった場合（３５０Ｗ≦Ｗsum）、ステップＳ９で制御部７は内部カウンタ値“ｎ”に１を加え、次のステップＳ１０で、制御部７は２秒間待機する。制御部７はステップＳ１１で内部カウンタ値“ｎ”が１０であるか判断し、１０でなかった場合（Ｎｏ）、ステップＳ２へ戻る。“ｎ”が１０であった場合（Ｙｅｓ）、ステップＳ１２で、制御部７は信号レベル減衰部２ａ〜２ｆへ入力信号を減衰させるための制御信号を入力し、信号レベル減衰部２ａ〜２ｆはこの制御信号に基づいて、入力信号を１ｄＢ減衰させる。
以上のようにして、出力電力の合計Ｗsumが２００Ｗ以上３５０Ｗ未満であった場合、信号レベル減衰部２ａ〜２ｆは入力信号を６０秒に１ｄＢ減衰させ、３００Ｗ以上であった場合、信号レベル減衰部２ａ〜２ｆは入力信号を２０秒に１ｄＢ減衰させる。
【００２６】
以上のようにマルチチャンネルパワーアンプ１０の出力電力の総和に閾値を設定し、出力制限を行うことでボリュームを下げ過ぎることなく発熱による装置の破壊を防ぐことができる。また、閾値を二段階にし、装置破壊の危険度がより高い場合には増幅部３ａ〜３ｆに入力する音声信号の減衰を早め、装置破壊の危険度がやや低い場合は、増幅部３ａ〜３ｆに入力する音声信号の減衰を遅くすることで、さらに音量感を損ねることが少なくなる。
【００２７】
本発明は以上説明した各実施形態に限定されることはなく、本発明の要旨を逸脱しない範囲において種々変更が可能である。
【図面の簡単な説明】
【００２８】
【図１】本発明のマルチチャンネルパワーアンプの実施形態を示すブロック図である。
【図２】本発明のスピーカシステムの一例を示すブロック図である。
【図３】本発明の整流部の実施形態を示す回路図である。
【図４】本発明の動作例を説明するフローチャートである。
【符号の説明】
【００２９】
２ａ〜２ｆ  信号レベル減衰部
３ａ〜３ｆ、３ｆＢ  増幅部
４ａ〜４ｆ  整流部
５  スピーカターミナル部
７  制御部
【図１】
2010045481.tif 000003
【図２】
2010045481.tif 000004
【図３】
2010045481.tif 000005
【図４】
2010045481.tif 000006